(57)【特許請求の範囲】
【請求項１】
トンネル掘進機において、
掘進機本体の胴部に胴外周部へ送水自在とされた送水口を設けるとともに、胴円周部にずりを胴内へ取り込む取り込み口を設け、かつ前記取り込み口に該取り込み口を開閉する開閉板を脱着可能に設けた
ことを特徴とするトンネル掘進機。
【発明の詳細な説明】
【技術分野】
【０００１】
本発明は、地中を掘削し推進するトンネル掘進機に関し、特に、巨礫層や岩盤層での曲線施工を行うトンネル掘進機に関するものである。
【背景技術】
【０００２】
トンネル掘進機としてのシールド掘進機は、その最前端に回転自在に取着されているカッタヘッドを回転させて地山を掘削しながら推進する。巨礫層や岩盤層などの硬い土質を掘削するシールド掘進機においては、図８（ａ）に示すように、カッタヘッド１には、切羽面に押し付けられながら転動して地山の掘削を行うディスクカッタ３と、これにより生じた掘削ずりを掻き取るスクレーパカッタ２とを有している。掘削時には、カッタヘッド１が回転してディスクカッタ３により巨礫や岩盤を掘削し、スクレーパカッタ２により掘削ずりをスリット孔４に取り込む。図８（ｂ）に示すシールド掘進機の最前部の側面図において、カッタヘッド１が回転するときのディスクカッタ３の外形の包絡線を２点鎖線で示す。この包絡線の外径を以降、直進時掘削外径Ｄｄと呼ぶ。通常、ディスクカッタ３の方がスクレーパカッタ２よりも外方に張り出して装着されている。ディスクカッタ３により掘削された地山のずりは、大部分がカッタヘッド１に設けてある図８（ａ）に示すスリット孔４からシールド掘進機の内部に取り込まれるが、残りの一部はディスクカッタ３の包絡線とカッタヘッド１の円周面との隙間を通って後方のスキンプレート８と地山間に残される。スキンプレート８は、カッタヘッド１が取り付けられている前胴５の外殻を構成する部材である。
【０００３】
曲線施工時には、図９（ａ）に示すように、シールド掘進機の前胴５は後胴６に対して摺動部７で摺動して屈曲した状態を保持したまま移動し、シールド掘進機の旋回内側及び旋回外側は、内側曲線Ｐｉ及び外側曲線Ｐｏで示す軌跡を描く。即ち、内側曲線Ｐｉ及び外側曲線Ｐｏで囲まれる空間は、シールド掘進機が移動するための最低限必要な空間を示している。曲線施工時にシールド掘進機が通過するための空間を確保するためには、内側曲線Ｐｉのカッタヘッド１近傍（斜線部で示す）を予め多めに掘削する必要がある。図９（ｂ）に斜線部の詳細を示す。直進時掘削外径Ｄｄからその径方向外方への延長線Ｒと内側曲線Ｐｉとの交点Ｑと、前胴５の外径であるシールド外径Ｄｓとの距離を多めに掘削する最低限必要な余堀量δとする。シールド掘進機が直線区間から曲線区間にさしかかったら、カッタヘッド１に装着されているディスクカッタ３及びスクレーパカッタ２の位置をずらして、掘削外径及び掻き取り外径を大きくすることによって、曲線区間の施工を行っている。
【０００４】
ところで、掘削外径はシールド外径に対し大きめであるため、スクレーパカッタ２によってスリット孔４内に掻き取りきれなかった掘削ずり（いわゆる取りこぼしずり）が発生する。取りこぼしずりは、スキンプレート８と地山との隙間に侵入して堆積し、これによる摩擦抵抗の増大により、必要推進力の増大を引き起こすこととなり、地山内で掘進機が拘束され推進不能となる状況さえ引き起こすこととなる。近年、巨礫層・岩盤層等の難地盤においても急曲線施工の要求が増えてきているが、急な曲線となるほど余堀量δを多くとる必要があり、余堀量δが増えるほど取りこぼしずりによる推進不能のリスクは増大することとなる。
【発明の概要】
【発明が解決しようとする課題】
【０００５】
本発明は、上記の課題を解決するため、取りこぼしずりの発生を極力抑え、機体拘束による推進不能のリスクを可及的に小さくすることのできるトンネル掘進機を提供することを目的としている。
【課題を解決するための手段】
【０００６】
上記の目的を達成するために、本発明によるトンネル掘進機は、
トンネル掘進機において、
掘進機本体の胴部に胴外周部へ送水自在とされた送水口を設けるとともに、胴円周部にずりを胴内へ取り込む取り込み口を設け、かつ前記取り込み口に該取り込み口を開閉する開閉板を脱着可能に設けた
ことを特徴とするものである。
【発明の効果】
【０００７】
本発明によれば、胴部の内部から胴外周部へ送水自在とする送水口と、胴円周部にずりを取り込む取り込み口とが設けられており、所定の最大推進力になったときに、作業員は、取り込み口を開閉する開閉板を開けて送水口から胴外周部へ送水し、胴外周部に堆積しているずりを流し易くして取り込み口から胴内部に取り込む。これにより、トンネル掘進機と地山との間に取りこぼしずりが堆積しても、送水によりこれらを清掃して再び十分な空隙を確保することができ、トンネル掘進機の掘削不能を防止することができる。
【図面の簡単な説明】
【０００８】
【図１】本発明の一実施形態に係るシールド掘進機の全体構成図
【図２】本実施形態における前胴送水口の位置を示す詳細図
【図３】本実施形態における後胴送水口の位置を示す詳細図
【図４】本実施形態における取り込み口の位置を示す詳細図
【図５】本実施形態における取り込み口の詳細図
【図６】本実施形態におけるずり洗浄の説明図
【図７】本実施形態における摺動部洗浄の詳細図
【図８】シールド掘進機のカッタヘッドの説明図
【図９】シールド掘進機の曲線施工時の余堀量の説明図
【発明を実施するための形態】
【０００９】
次に、本発明によるトンネル掘進機の具体的な実施の形態について、図面を参照しつつ説明する。なお、以降の図に示す構成要素が、図８，９で説明した構成要素と同一の場合には同一符号を付して説明する。
【００１０】
本実施形態は、シールド掘進機の内部から外部に送水し、堆積しているずりを流れ易くしてシールド掘進機内に取り込もうとするものである。図１は、シールド掘進機の側面の透視図であり、その断面ＡＡを図２に示す。前胴５の下部に機内から機外に送水自在とする２個所の前胴送水口１５が配設されていて、前胴送水口１５は、後方に向けて送水する。また、図１の断面ＢＢを示す図３によると、後胴６の下部に２個所の後胴第１送水口１６及び２個所の後胴第２送水口１７がそれぞれ配設されている。後胴第１送水口１６及び後胴第２送水口１７は、前方及び後方に向けてそれぞれ送水自在となっている。図１の断面ＣＣを示す図４は、ずりを機内に取り込む取り込み口１８を示す。作業員が開閉する取り込み口１８は、前胴５及び後胴６の下部に２個所ずつ合計４個所設けてある。なお、図５は、図４の断面ＤＤで取り込み口１８の詳細を示す。取り込み口１８は、円形の開閉板１９、ボルト２０及び水漏れを防止するパッキン２１を有し、作業員は、円形の開閉板１９を複数のボルト２０により前胴５又は後胴６に脱着して取り込み口１８を開閉する。なお、パッキン２１の代わりにガスケット又はＯリング等で水漏れを防止するようにしてもよい。
【００１１】
次に、図６，７により、本実施形態の作用及び効果を説明する。シールド掘進機の推進力が所定値よりも大きくなったときに、作業員は、図６に示すように、前胴送水口１５，１５及び後胴第２送水口１７，１７から機外に送水する。そして、取り込み口１８のボルト２０を外して開閉板１９を開けてずりを機内に取り込む。ずりが侵入して堆積する前胴５の中間位置から後胴６の後方にかけて、図中の点線のように水と一緒にずりが流れるので、ずりがスキンプレート８と地山の間に堆積しても、これを容易に取り除くことができる。図７は、前胴５が後胴６に対して屈曲するときの摺動部７の洗浄状態を示す。後胴第１送水口１６，１６から前向きに送水し、摺動部７を洗浄した洗浄水は、前胴５の取り込み口１８から機内に取り込まれる。これにより、摺動部７は常に清浄に保持されるので故障の少ないシールド掘進機が得られる。
【００１２】
なお、本実施形態においては、ずりは胴部の下方に溜まるという性質があるために前胴送水口１５、後胴第１送水口１６及び後胴第２送水口１７を胴部の下部に設けたが、地山の性質によっては胴部の中央部又は上部に送水口を設けても何ら差し支えない。また、本実施形態では、推進力は所定値よりも大きくなったら、作業員が送水し取り込み口からずりを取り込んでいるが、これらを自動的に行うようにしてもよい。
【００１３】
以上説明したように、本発明は、ずりのスリット孔への取り込み効率を向上させると共に、ずりのトンネル掘進機の後方への侵入量を少なくする装置の発明である。即ち、掘進機本体の胴部の下部に胴外周部へ送水する送水口と、胴外周部に侵入したずりの胴内への取り込み口とを設け、胴外周部に送水してずりを流れ易くし、取り込み口から胴内部にずりを取り込む。これにより、トンネル掘進機と地山間におけるずりの堆積量が少ないので、トンネル掘進機と地山間の大きな摩擦抵抗力による掘進不能を防止できる。
【符号の説明】
【００１４】
１…カッタヘッド、２…スクレーパカッタ、３…ディスクカッタ、４…スリット孔、５…前胴、６…後胴、７…摺動部、８…スキンプレート、１５…前胴送水口、１６…後胴第１送水口、１７…後胴第２送水口、１８…取り込み口、１９…開閉板、２０…ボルト、２１…パッキン、Ｄｄ…直進時掘削外径、Ｐｉ…内側曲線、Ｐｏ…外側曲線、Ｄｓ…シールド外径、δ…余堀量。
【図１】
0004918110.tif 000002
【図２】
0004918110.tif 000003
【図３】
0004918110.tif 000004
【図４】
0004918110.tif 000005
【図５】
0004918110.tif 000006
【図６】
0004918110.tif 000007
【図７】
0004918110.tif 000008
【図８】
0004918110.tif 000009
【図９】
0004918110.tif 000010